(57)【要約】  本発明は、複数の開口部６を備える複数のプレート要素構成２、１２、２２を備えるハウジングを備える熱交換器１に関するものである。隣接する開口部が離間され、動作時に第１の流体７が開口部を通って流れる。開口部が少なくとも一部の区間において離間されるようにプレート要素構成内に延在し、隣接するプレート要素構成が離間され、第２の流体８が２つの隣接するプレート要素構成２、１２、２２の間の中間空間１５を流れることができる。凹部５がプレート要素構成２、１２、２２のうちの少なくとも１つを分断し、プレート要素構成が少なくとも１つの第１のプレート要素３及び１つの第２のプレート要素４を備え、第２のプレート要素４が第１のプレート要素３に対して、第１の流体７が第１のプレート要素３を通り次いで第２のプレート要素４を通って流れることができるように配置される。凹部５は流れ誘導要素２０を備える。
2015508881.tif 000002
【特許請求の範囲】
【請求項１】
複数のシート要素構成（２、１２、２２）を備えるハウジングを有する熱交換器（１）であって、前記シート要素構成が複数の開口部（６）を有し、隣接する開口部が互いに離間され、動作状態で前記開口部を通って第１の流体（７）が流れ、前記開口部が前記シート要素構成内で少なくともある区間で互いに離間されて延在し、隣接するシート要素構成の各々が互いから一定の間隔をあけて配置されて第２の流体（８）が２つの隣接するシート要素構成（２、１２、２２）間の中間空間（１５）を流れることができるようになっている熱交換器（１）において、
前記シート要素構成（２、１２、２２）のうちの少なくとも１つがカットアウト部（５）によって分断されることにより、前記シート要素構成が少なくとも１つの第１のシート要素（３）及び１つの第２のシート要素（４）を有しており、
前記第２のシート要素（４）は前記第１のシート要素（３）に対して、流れ誘導要素（２０）を備える前記カットアウト部（５）により、前記第１の流体（７）が前記第１のシート要素（３）の後で前記第２のシート要素（４）を流れることができるように配置されていることを特徴とする、熱交換器（１）。
【請求項２】
前記第１のシート要素（３）の第２の端部（１７）のところで複数の開口部（６）が前記カットアウト部（５）へ開いており、前記第１の流体（７）が前記カットアウト部（５）から前記第２のシート要素（４）の第１の端部（１８）のところに配置された複数の開口部（６）に供給できるように、前記カットアウト部（５）が設計されている、請求項１に記載された熱交換器。
【請求項３】
前記カットアウト部が流れ妨害要素及び／又は静止混合体を備える、請求項１又は請求項２に記載された熱交換器。
【請求項４】
前記カットアウト部が、前記第１のシート要素及び第２のシート要素に液密接続されたジャケット要素によって囲まれている、請求項１から請求項３までのいずれか一項に記載された熱交換器。
【請求項５】
前記ジャケット要素が、フィン（２１）及び／又は溝（２３）及び／又は突出部（２５）として設計できる流れ誘導要素（２０）を備える、請求項４に記載された熱交換器。
【請求項６】
前記カットアウト部（５）が、前記第１のシート要素（３）の前記第２の端部（１７）と、前記第２のシート要素（４）の前記第１の端部（１８）と、前記ジャケット要素（１０、１１）とによって形成され、
前記第１のシート要素（３）及び前記第２のシート要素（４）が共通の中心面を有し、前記第１および第２のシート要素が前記第１の流体（７）の流れ方向に直列に配置される、請求項１から請求項５までのいずれか一項に記載された熱交換器。
【請求項７】
前記開口部（６）が、前記シート要素（３、４）内のチャンネル（９）として形成される、請求項１から請求項６までのいずれか一項に記載された熱交換器。
【請求項８】
前記流れ誘導要素（２０）が、少なくともある区間、前記チャンネル（９）に対して一定の角度（２７）を有するように配置される、請求項７に記載された熱交換器。
【請求項９】
前記流れ誘導要素（２０）が、１０°〜７５°の範囲、好ましくは１０°〜６０°の範囲、より好しくは１０°〜４５°の範囲の、前記チャンネル（９）に対する一定の角度（２７）を有する、請求項７又は請求項８に記載された熱交換器。
【請求項１０】
前記ジャケット要素が、前記カットアウト部内へと突出して流れ妨害要素を形成する突出部を備える、請求項４に記載された熱交換器。
【請求項１１】
前記熱交換器の長さ（２６）が、前記シート要素内を流れる前記第１の流体（７）の主要な流れ方向で計測されると、前記カットアウト部が前記熱交換器の長さ（２６）の５％〜４０％で延在している、請求項１から請求項１０までのいずれか一項に記載された熱交換器。
【請求項１２】
前記カットアウト部（５）が前記熱交換器の実質的に全幅（２８）にわたって延在する、請求項１から請求項１１までのいずれか一項に記載された熱交換器。
【請求項１３】
設置要素（１３）が、２つの隣接するシート要素構成（２、１２、２２）の間の間隔を維持するために設けられる、請求項１から請求項１２までのいずれか一項に記載された熱交換器。
【請求項１４】
請求項１から請求項１３までのいずれか一項に記載された熱交換器を動作させる方法において、該方法が、前記シート要素構成に流入する入口と前記シート要素構成から流出する出口との間のシート要素構成（２、１２、２２）内の流れ経路で第１の流体（７）を混合するステップを含む、熱交換器を動作させる方法。
【請求項１５】
隣接するシート要素構成の間を流れる第２の流体（８）を、前記第１の流体（７）とのクロスフローで流す、請求項１４に記載された熱交換器を動作させる方法。
【発明の詳細な説明】
【技術分野】
【０００１】
本発明は、冷媒とガス、とりわけ空気、との間で熱交換するための熱交換器に関するものである。
【背景技術】
【０００２】
実際には把握できないぐらいの数の従来技術において、多くの用途での熱交換システムの使用が知られている。熱交換器は、一般的な家庭用冷蔵庫などの冷凍システム、建物用の空調プラント、又はすべての種類の乗り物、とりわけ自動車、飛行機及び船の空調プラント、走行状態又は停止状態での内燃機関の水冷却器又はオイル冷却器、冷却回路内の復水器又は蒸発器として使用されている。
【０００３】
この種類の熱交換器は、例えば米国特許第４，８７６，７７８号により知られている。熱交換器の構造は、冷却水が複数のシートの間に配置された管内を流れ、空気がシートの周りを流れるようになっている。冷却水及び空気がクロスフローで流される。設けられたシートは平行に配置され、スペーサ要素によって互いに離間される。このようなスペーサ要素は例えば波形シートとして形成できる。
【０００４】
以下、一方の「ラミナ熱交換器（層流熱交換器）」と称するものと、他方の「ミニチャンネル熱交換器」又は「マイクロチャンネル熱交換器」称するものとを区別するものとする。
【０００５】
長きに渡り知られている層流熱交換器は、すべての種類の熱交換器と同様に例えば冷媒から空気へ又はその逆といったような２つの媒体間で熱を伝達させるように機能する。熱交換器の流路を流れる第１の流体は、以下では熱媒体とも称される。流路の周りを流れる第２の流体は以下では伝達流体とも称される。熱媒体及び伝達流体はともに液相又は気相として存在してよい。水、油、空気又は冷媒は、例えば、熱媒体又は伝達流体と呼ぶことができる。これらの媒体のうちの１つが熱伝達により冷却され、別の媒体が加熱される。
【０００６】
一般に、例えば空気である伝達流体は、熱交換器のチャンネル内を循環する例えば冷媒又は加熱媒体である熱媒体よりも大幅に小さい熱伝達係数を有する。これは、２つの媒体に対する大幅に異なる熱伝達表面により均衡がとられる。大きい熱伝達係数を有する媒体がチャンネル内を流れる。例えばリブ又は層板である薄い金属シートがその外側に取り付けられ、それにより、チャンネルの外側表面が、チャンネルの内側表面と比較して熱伝達表面が拡大され、その熱伝達表面で伝達流体との熱伝達が行われる。
【０００７】
これに関して、チャンネルの外側表面の内側表面に対する比率は、チャンネル直径と、チャンネルの構成と、チャンネルの互いの間隔とによって決定された層板の幾何形状、並びに層板の間隔ｄ’によって決定される。層板の間隔ｄ’は異なる用途に応じて多様に選択される。しかし、純粋に熱力学的にいえば、層板の間隔は、伝達流体の側での圧力損失が過度に大きくなることがない範囲で可能な限り小さくすべきである。効率的な最適値は約２ｍｍである。これは復水器及びドライクーラの場合の一般的な値である。
【０００８】
これに関して、効率は、層板表面と伝達流体との間で伝達された熱が層板を通した熱伝導を介してチャンネルに伝達される必要があるという事実により実質的に決定される。層板の伝導率が大きくなるか又は層板の厚さが厚くなり、さらにはチャンネル間の間隔が小さくなると、熱伝達の効率は大きくなる。ここでは層板の効率について言及する。熱伝導率（約２２０Ｗ／ｍＫ）の大きい層板材料として、現在、アルミニウムが主として経済的理由から使用される。これに関して、チャンネルの間隔は可能な限り小さくすべきである。熱力学的には、相互に小さい間隔で配置された小直径の複数のチャンネルを使うことが理想的解決策である。しかし、実質的なコスト要因は、チャンネルを拡張しはんだ付けする作業時間である。これは、このような幾何形状とは不均衡に増大する。
【０００９】
したがって、数年前に、ミニチャンネル熱交換器又はマイクロチャンネル熱交換器という新しい種類の熱交換器が既に開発されている。これは完全に異なるプロセスを使用して製造され、層流熱交換器のほぼ理想的なものである。これらは、１ｍｍ程度の非常に小さい直径を有するミニチャンネル又はマイクロチャンネルを有する。これらのミニチャンネル又はマイクロチャンネルの製造には、アルミニウム押し出し部材の使用が好ましい。
【００１０】
熱交換器ブロックは、本質的に、１つ又は複数の層流熱交換器又は１つ又は複数のマイクロチャンネル熱交換器で形成される。いずれの場合も、熱交換器ブロックの入口側が出口要素に圧密的にはんだ付けされ、熱交換器ブロックの出口側が入口要素に圧密的にはんだ付けされる。これに関して、いずれの場合も、１つ又は複数の熱交換器を有する熱交換器ブロックの出口要素及び入口要素のところに接続フランジが設けられ、それにより、熱交換器ブロックが例えば冷凍機械などの外部システムに流体連通できるようになる。これにより、熱媒体が動作状態で出口要素から熱交換器を介して入口要素へ供給されて、予め定められた動作圧力下で伝達流体との熱交換を行うことができる。
【００１１】
マイクロチャンネルはシート要素内に配置される。マイクロチャンネルは互いに実質的に平行に延在し、互いに接続されない。したがって、第１の流体である熱媒体がシート要素のマイクロチャンネルに供給され、このマイクロチャンネル内をシート要素を通って流れ、このマイクロチャンネルから再び外に出る。伝達流体が、クロスチャンネル内をマイクロチャンネルまで流れる。伝達流体が、シート要素の壁を介して、熱媒体へと熱を放出するか又は熱媒体から熱を吸収する。クロスフローであることから、熱交換器を通る経路で熱が吸収又は放出されることにより、伝達流体の流入温度が流出温度とは異なるようになる。これによりマイクロチャンネル内の熱分布が不均一となる。
【００１２】
数平方メートルの熱交換表面を有する大型の熱交換器では、これらの温度差により熱応力が発生してそれによりマイクロチャンネルに機械的応力が発生する可能性があり、それにより熱交換器が損傷する可能性がある。
【先行技術文献】
【特許文献】
【００１３】
【特許文献１】米国特許第４，８７６，７７８号明細書
【発明の概要】
【発明が解決しようとする課題】
【００１４】
したがって、本発明の目的は、ガスの流れ方向における冷媒の温度分布を一様にすることである。
【課題を解決するための手段】
【００１５】
本発明の目的は以下の特徴を有する熱交換器によって達成される。熱交換器は、複数のシート要素構成を備えるハウジングを有する。シート要素構成は、動作状態で第１の流体が流れることのできる例えばチューブ形態の開口部を有する。上述の意味でのマイクロチャンネルが設けられてもよい。開口部は、シート要素構成内で少なくともある区間にわたって相互に離間された形で延在する。隣接するシート要素構成は各々が相互に一定の間隔をあけて配置され、第２の流体が２つの隣接するシート要素構成の間の中間空間内を流れることができる。第２の流体の流れ方向は、第１の流体の流れ方向と実質的に交差することが好ましい。これは、第１の流体と第２の流体とがクロスフローで流れることが好ましいことを意味する。
【００１６】
シート要素構成のうちの少なくとも１つがカットアウト（ｃｕｔ−ｏｕｔ）部によって分断されて、シート要素構成が少なくとも１つの第１のシート要素及び１つの第２のシート要素を有する。第２のシート要素は第１のシート要素に対して、流れ偏向要素を備えるカットアウト部により第１の流体が第１のシート要素の後で第２のシート要素を流れることができるように配置される。開口部を介してカットアウト部に到達する第１の流体の個別の流れがカットアウト部内で混合される。
【００１７】
一具体例によると、カットアウト部は、第１のシート要素の第２の端部のところで複数の開口部がカットアウト部内へと開いて、第１の流体がカットアウト部から第２のシート要素の第１の端部のところにある複数の開口部まで供給できるように設計される。具体的には、カットアウト部は、その第１の端部のところで複数のチューブ、チャンネル又はマイクロチャンネルがこれらのカットアウト部内へと開いて、第１の流体が、カットアウト部から、第２のシート要素の複数のチューブ、チャンネル又はマイクロチャンネルまで供給されるように設計できる。
【００１８】
一具体例によると、カットアウト部が流れ妨害要素を備え、渦形成及び／又は流れの偏向が行われる。これの別法として又は加えて、カットアウト部が静止混合体（ｓｔａｔｉｃ  ｍｉｘｅｒ）を備えることができる。カットアウト部は、第１及び第２のシート要素に液密接続されたジャケット要素によって囲まれることができる。具体的には、ジャケット要素は、溝並びに／或はフィン及び／又は突出部などの流れ誘導要素を備えることができる。カットアウト部は、第１のシート要素の第２の端部と、第２のシート要素の第１の端部と、ジャケット要素とによって形成され、第１のシート要素及び第２のシート要素が共通の中心面を有し、シート要素が第１の流体の流れ方向に沿って直列に配置される。
【００１９】
具体的には、開口部はシート要素内のチャンネルとして形成できる。溝を少なくともある区間だけチャンネルに対して一定の角度を有するように配置できる。溝はチャンネルに対して一定の角度を有することができ、この角度は、１０°〜７５°の範囲、好ましくは１０°〜６０°の範囲、より好ましくは１０°〜４５°の範囲である。
【００２０】
代替的具体例によると、ジャケット要素は、カットアウト部内へと突出して流れ妨害要素を形成する突出部を有することができる。
【００２１】
カットアウト部は、熱交換器の長さの５％〜４０％で延在することが有利である。ここでの熱交換器の長さは、シート要素内を流れる第１の流体の主要な流れ方向で計測される。熱交換器の全幅にわたって温度を補償するために、カットアウト部が熱交換器の実質的に全幅にわたって延在することが有利である。
【００２２】
一具体例によると、２つの隣接するシート要素間の距離を維持するための設置要素を設けることができる。具体的には、設置要素は波形の薄壁スペーサ要素として形成できる。
【００２３】
本発明は、上記の具体例のうちの１つの熱交換器を動作させる方法にも関するものである。この方法は、シート要素構成に入る入口とシート要素構成から出る出口との間のシート要素構成内の流れ経路で第１の流体を混合するステップを含む。有利な改良点によると、第２の流体が、第１の流体とのクロスフローで、隣接するシート要素構成の間を流れる。したがって、第２の流体は第１の流体に対して横方向に流れる。具体的には、第１の流体は冷媒であってよい。具体的には、第２の流体はガスであってよく、空気であることが有利である。シート要素は部材として作られてよく、冷媒が、離間された平行な複数のチャンネル内を移動する。第１の流体の方向で見ると、第１の流体を流すチャンネルは直列に配置される。
【００２４】
あるチャンネルと次のチャンネルとの熱伝達は複数の理由により異なる。１つには、第１の流体の位置ごとの温度が異なることにより、流体の温度差が変化するためであり、他方では、第２の流体が液相及び気相で存在するときに気相に対する液相の比率が変化する可能性があり、それが熱交換器の全体効率に影響するためである。
【００２５】
具体的には、２つ以上のカットアウト部がシート要素構成内に配置できる。複数のカットアウト部が設けられる場合、カットアウト部の各々が流れ偏向要素を備えることができる。具体的には、第２の流体が混合され、第２の流体の温度均衡がとれ、さらには熱交換器の長さ及び幅にわたって温度分布が一様となる。
【００２６】
具体的には、シート要素構成幅及び／又は長さが大きく、並びに／或は第１の流体の流速が小さい場合に、熱交換器の性能が大幅に向上できる。
【００２７】
具体的には、本発明による熱交換器は大規模に長く構築でき、シート構成の数は従来技術に比べて最大で３分の２まで減少できる。
【００２８】
図面を参照しながら以下で本発明を説明する。
【図面の簡単な説明】
【００２９】
【図１】本発明の第１の実施例によるシート要素構成を示す図。
【図２】シート要素構成の積層体を示す図。
【図３】シート要素の構成を示す側面図。
【図４】図３のシート要素の構成を示す平面図。
【図５】図４の平面図の詳細図。
【図６】第２の実施例によるシート要素の構成を示す側面図。
【図７】図６のシート要素の構成を示す平面図。
【図８】図６の側面図の詳細図。
【図９】シート要素の積層体を示す図。
【図１０】本発明の第２の実施例によるシート要素構成を示す図。
【発明を実施するための形態】
【００３０】
図１は、本発明の第１の実施例による熱交換器１のためのシート要素構成２を示す図である。シート要素構成は、第１のシート要素３と、第２のシート要素４と、第１のシート要素３と第２のシート要素４との間に配置されたカットアウト部５とを有する。第１の流体７が第１のシート要素３に入り、開口部６を通ってカットアウト部５の方向に流れてカットアウト部５に入り、第２のシート要素４の開口部６を通ってカットアウト部５から流出する。
【００３１】
第１の流体７は熱媒体であり、加熱媒体又は冷却媒体のいずれかであってよい第１の流体７の熱伝導率が気体流体の熱伝導率よりも大幅に大きく、第１の流体の使用可能な熱交換領域が第２の流体の使用可能な熱交換領域よりも小さいため、第１の流体７は液体の集合状態で存在することが好ましい。第１のシート要素３及び第２のシート要素４内の開口部６は互いに一定の間隔を有し、開口部６の各々が、別の開口部から離間されてジャケット側が閉じられたチャンネル９を形成する。具体的には、チャンネル９はチューブの形態を有することができ、及び／又は、導入部で説明した寸法を有するマイクロチャンネルとして形成できる。
【００３２】
第１の流体７が、図面に示されない波形設置部を有してよいこれらのマイクロチャンネルを通って流れる。これらの波形設置部は、熱交換のために使用可能な熱交換表面を拡大するように機能する。もちろん、波形設置部の代わりに、格子構造、メッシュ状構造又は多孔構造が設けられてもよい。チャンネル９はチューブとして形成でき、又は、押出プロセスによって押し出された部材から製造された楕円形又は具体的には長方形である四角形のチャンネルとして形成されてもよい。本明細書では、複数のマイクロチャンネルがシート要素構成内に配置できる。具体的には、チャンネル９の材料としてアルミニウム又はアルミニウム合金が適切であることが分かっている。
【００３３】
第１のシート要素３は、第１の流体７が第１のシート要素３へ導入されるときに通る開口部６の入口開口を有する第１の端部１６を有する。開口部６の出口開口が第１のシート要素３の第２の端部１７のところに配置される。
【００３４】
第２のシート要素４は、第１の流体７が第２のシート要素４へ導入されるときに通る開口部６の入口開口を有する第１の端部１８を有する。開口部６の出口開口が第２のシート要素４の第２の端部１９のところに配置される。
【００３５】
とりわけ図１によると、第１のシート要素３の第２の端部１７のところにある複数の開口部６がカットアウト部５内に開いており、第１の流体７がカットアウト部５から第２のシート要素４の第１の端部１８のところに配置された複数の開口部内へ供給できるように、カットアウト部５が設計される。
【００３６】
カットアウト部は、第１のシート要素３と第２のシート要素４との間を延在してジャケット要素によって囲まれた中空空間である。カットアウト部５は、第１のシート要素３の第２の端部１７と、第２のシート要素１９の第１の端部１８と、ジャケット要素とによって形成され、第１のシート要素３及び第２のシート要素４が共通の中心面を有し、シート要素３、４が第１の流体７の流れ方向を基準として互いの後方に配置される。
【００３７】
本発明の図では、ジャケット要素は、上側ジャケット部分１０及び下側ジャケット部分１１により形成される。上側ジャケット部分１０は組み立てられていない状態での分解図で示されており、下側ジャケット１１の構造を見ることができる。上側ジャケット部分及び下側ジャケット部分の代わりに、ジャケット要素は単一部品で作られてもよい。第１のシート要素及び第２のシート要素は実質的にジャケット要素に接続できる。すなわち、これらは、例えばジャケット要素の第１及び第２のシート要素用の開口部内にプラグ接続できる。シート要素間の液密接続は、密閉部材要素により、又は、ジャケット要素に対してわずかに大きなサイズのシート要素により、或は、ジャケット要素及びシート要素を後で溶接することにより可能となる。
【００３８】
上側ジャケット部分１０及び下側ジャケット部分１１は流れ誘導要素２０を有する。流れ誘導要素２０はフィン２１として形成される。別法として、もちろん、上側ジャケット部分又は下側ジャケット部分の一方のみがフィン２１を有してもよく、上側ジャケット部分及び下側ジャケット部分のそれぞれのもう一方が滑らかな表面又は溝２３を有することができる。通常、複数の流れ誘導要素２０が設けられ、具体的には熱交換器が大きい幅を有する場合に複数の流れ誘導要素２０が設けられる。しかし、単一の流れ誘導要素でも第１の流体７の流れを偏向させる機能を満たす。
【００３９】
具体的には、流れ誘導要素２０は少なくとも区間ごとにチャンネル９に対して一定の角度を有するように配置できる。流れ誘導要素はチャンネルに対して１０°〜７５°の範囲の一定の角度を有することが好ましく、好ましくは１０°〜６０°の範囲、より好ましくは１０°〜４５°の範囲である。
【００４０】
混合を改善するために、上側ジャケット部分１０の流れ誘導要素２０は、下側ジャケット部分１１の流れ誘導要素２０とは異なる、チャンネル９に対する角度２７を有することができる。角度２７が図５に示されている。
【００４１】
代替的実施例によると、ジャケット要素、或は、上側ジャケット部分１０又は下側ジャケット部分１１のうちの少なくとも１つが、カットアウト部５内に突出して流れ妨害要素を形成する突出部２５を備える。
【００４２】
カットアウト部５が、熱交換器の長さ２６の５％〜４０％で延在すると有利である。ここでの熱交換器の長さ２６は、シート要素３、４を流れる第１の流体７の主要な流れ方向で計測される。図３では、熱交換器の長さ２６はシート要素の長さ及びカットアウト部５の長さの合計として示される。
【００４３】
具体的には、カットアウト部５は熱交換器１の実質的に幅２８全体にわたって延在してよい。熱交換器１の幅２８はシート要素構成の幅に実質的に一致しており、これが図５に示されている。
【００４４】
図２は、熱交換器１を形成するシート要素構成２、１２、２２の積層耐を示す。これらのシート要素構成２、１２、２２は、熱交換器の動作をより良好に示すために図では省略されたハウジング内に位置する。シート要素構成２、１２、２２の各々は、図１に示された第１のシート要素３及び第２のシート要素４、およびカットアウト部５により形成できる。
【００４５】
伝達流体とも称される第２の流体８が各シート要素の構成２、１２、２２の上方及び／又は下方を流れることができる。通常は気体である第２の流体８は、熱交換器１に所望される機能に応じて、加熱媒体によって加熱されるか又は冷媒によって冷却されることができる。
【００４６】
第２の流体８を流すための中間空間１５が、図２に波形構造として示された設置要素１３を備えることができる。設置要素１３は隣接するそれぞれのシート要素構成に熱伝導可能に接続され、それにより設置要素１３を介して熱が伝達できる。したがって、設置要素１３は熱交換表面を増大させるようにも機能する。設置要素はフィンで形成されてもよく、又は、上述したように、格子構造、メッシュ状構造又は多孔構造を有することができる。また、設置要素はＶ形又はＷ形の鋸歯部材として形成されてもよい。
【００４７】
図３が第１の実施例によるシート要素構成の側面図を示す。これに関して、上側ジャケット部分１０及び下側ジャケット部分１１から構成されたジャケット要素の厚さは、第１のシート要素３及び第２のシート要素４の厚さよりも大きくなっている。これにより、隣接するシート要素構成間の間隔が、ジャケット要素が位置するところの位置で小さくなる。
【００４８】
したがって、図１０に示される改良点によると、隣接するシート要素構成のジャケット要素間に、設置要素１３よりも低い高さを有する設置要素２９が設けられる。
【００４９】
図４が図３によるシート要素の構成の平面図を示す。上側ジャケット１０が取り外された場合のこの図は図１の構成に一致する。シート要素構成２の長さは、ここでは、第１のシート要素３及び第２のシート要素４の長さ、さらにはここでは見えないカットアウト部５の長さとして定義される。
【００５０】
図５は図４による平面図の詳細図であり、下側ジャケット要素１１の一部分、さらには流れ誘導要素２０を形成するフィン２１を示す。シート要素構成の幅２８も示されている。
【００５１】
図６は本発明の第２の実施例によるシート要素構成の側面図を示す。このシート要素構成は、第１の流体７がチャンネルの代わりに流れることのできる多孔構造を有する点で、第１のシート要素３及び第２のシート要素４の構造が異なる。カットアウト部が、流れの流れ妨害要素２４を形成できる流れ誘導要素として複数の突出部２５を備える。これらの突出部は局所的に隆起する部分であってよいか、又は、カットアウト部の長さ及び／又は幅の一部分にわたって延在するフィン又は溝であってもよい。
【００５２】
図７は図６によるシート要素の構成の平面図を示しているが、これは図３に類似する構造を有することから図３の説明を参照されたい。
【００５３】
図８は図６による側面図の詳細図を示す。流れ誘導要素２０がフィンとして形成される。設置状態では、上側ジャケット部分及び下側ジャケット部分のフィンが相互に接して位置する。したがって、第１の流体はこれらのフィンを通過しなければならないことから、フィンによって偏向され、その偏向及び／又は渦によって混合される。これにより、第１の流体が熱交換器の幅方向において受ける温度低下に対して均衡がとられる。
【００５４】
図９は、図２に類似するシート要素の積層体を示す図である。図２とは異なり、カットアウト部５のジャケット要素の間の設置要素２９が示されており、これらはシート要素３、４の間に配置された設置要素１３とは高さが異なっている。
【００５５】
図１０は、本発明の第２の実施例によるシート要素構成を示す図である。上側ジャケット部分１０及び下側ジャケット部分１１が透明な要素として示されており、したがって、対のフィンの形態で、ジャケット部分のうちの少なくとも１つの内側表面の一部分に交差するように延在する突出部を見ることができる。
【図１】
2015508881.tif 000003
【図２】
2015508881.tif 000004
【図３】
2015508881.tif 000005
【図４】
2015508881.tif 000006
【図５】
2015508881.tif 000007
【図６】
2015508881.tif 000008
【図７】
2015508881.tif 000009
【図８】
2015508881.tif 000010
【図９】
2015508881.tif 000011
【図１０】
2015508881.tif 000012
【国際調査報告】
2015508881.tif 000013
2015508881.tif 000014
2015508881.tif 000015
2015508881.tif 000016
2015508881.tif 000017
2015508881.tif 000018